(57)【要約】      （修正有）【課題】上端部に突起部が突出している緩み・脱落防止機能付きナットを、簡単にボルトに着脱することができるソケットレンチ用ソケット及びソケットレンチを提供する。【解決手段】上端部に突起部が突出している緩み・脱落防止機能付きナットの着脱に用いられるソケットレンチ用ソケットＳであって、両端が貫通している略円筒状の本体部１０と、本体部１０の上端に形成されたソケットレンチ係合孔と、本体部１０の下端に形成されたナット嵌合孔とを有し、本体部１０の周壁１０ｃには、本体部１０の下方に開口する切欠部２０が形成されている。【選択図】図１
0003185286.tif 000002
【実用新案登録請求の範囲】
【請求項１】
上端部に突起部が突出している緩み・脱落防止機能付きナットの着脱に用いられるソケットレンチ用ソケットであって、
両端が貫通している略円筒状の本体部と、
前記本体部の上端に形成されたソケットレンチ係合孔と、
前記本体部の下端に形成されたナット嵌合孔とを有し、
前記本体部の周壁には、該本体部の下方に開口する切欠部が形成されていることを特徴とするソケットレンチ用ソケット。
【請求項２】
前記ナットは、そのネジ穴にコイルバネが装着され、その上端部から前記コイルバネから延設された前記突起部が突出しており、ボルトに締結された場合に該ナットの緩め方向の回転が規制されると共に、前記突起部を該ナットの緩め方向に付勢すると、該ナットの緩め方向の回転規制が解除されるようになっており、
前記切欠部は、略コの字状に形成されていると共に、その下端からの上端までの長さ寸法が、前記ナットの下端から前記突起部の上端までの長さ寸法よりも大きくなっていることを特徴とする請求項１記載のソケットレンチ用ソケット。
【請求項３】
前記切欠部は、前記本体部の下端から上端方向に鉛直に延びる第１縦辺部と、該第１縦辺部と相対向する第２縦辺部と、該第１縦辺部の上端と該第２縦辺部の上端を結ぶ横辺部とにより略コの字状に形成され、
前記第２縦辺部の下端側には、前記本体部の下端から上端に向かうにしたがい前記第１縦辺部との間隔が小さくなっている斜辺部が形成されていることを特徴とする請求項１又は２記載のソケットレンチ用ソケット。
【請求項４】
前記ナットの突起部に前記第２縦辺部の下端を当接させた状態で、前記ナットに向けて押し込まれると、前記第２斜辺部が前記ナットの緩め方向に前記突起部を付勢するようになっていることを特徴とする請求項３記載のソケットレンチ用ソケット。
【請求項５】
請求項１〜４のいずれかに記載のソケットレンチ用ソケットを備えていることを特徴とするソケットレンチ。
【考案の詳細な説明】
【技術分野】
【０００１】
本考案は、ソケットレンチ用ソケット及びソケットレンチに関し、例えば、上端部に突起部が突出している緩み・脱落防止機能付きナットの着脱に用いられるソケットレンチ用ソケット及びびソケットレンチに関する。
【背景技術】
【０００２】
ボルト及びナットは、部材同士の連結固定に利用されているが、長期間の使用により互いに緩みが生じるという問題を有している。そのため、従来から、この緩みを防止するための構成が各種提案されている。
【０００３】
例えば、特許文献１には、ボルトの脚部に、ボルトの外形よりわずかに小さいコイルバネをネジ溝に嵌まり込むように装着してナットの離脱方向（緩め方向）の回転を阻止するボルト・ナットの緩み止め具が開示されている。
具体的には、前記ボルト・ナットの緩み止め具は、ボルトに螺合されたナットから突出したボルト脚部のネジ溝に嵌め込まれるコイルバネ部と、コイルバネ部の素線から当該コイルバネ部より離れる方向へ延びると共に当該コイルバネ部の中心軸線を横切るように曲がっている突起部とを備え、コイルバネ部によりナットの離脱方向の回転が規制されるようになっている。
【０００４】
また、例えば、図８に示すように、緩み・脱落防止機能を備えた特殊ナット（緩み防止機能付きナット（ハイパーロードナット（登録商標）  株式会社ＫＨＩ製））が提案されている（非特許文献１）。なお、図８は、従来技術による緩み防止機能付きナットの構成を説明するための模式図であり、（ａ）が緩み防止機能付きナットの外観及び内部構造を示した模式図であり、（ｂ）が緩み防止機能付きナットをボルトに螺合させた状態を示した模式図である。
【０００５】
具体的には、図８に示すように、緩み・脱落防止機能付きナットＮ（以下、単に「ナットＮ」という）は、ボルトＢの脚部５が螺合されるネジ穴１に、ボルトＢの脚部５のネジ溝５ａに嵌り込むコイルバネ（スプリング）２が内嵌されている。このコイルバネ２は、ナットＮとボルトＢを螺合させて装着する際に強固に緊縮してボルトＢのネジ山に密着する。その結果、このコイルバネ２により、ナットＮの緩め方向（ナットＮを緩めてボルトＢから離脱させる方向）の回転が規制されて、ナットＮの緩み及び脱落が防止されるようになっている。
【０００６】
また、ナットＮに内嵌されているコイルバネ２は、上端から下端に向けてコイル状に捲き回されたコイル部２ａと、コイル部２ａの下端で上端に向けて折り返され、下端から上端に向けて延びてナットＮの上端部から突出すると共に、その先端が略Ｃ次状に湾曲した突起部（リリース部）２ｂとを備えている。
【０００７】
この突起部２ｂが、ナットＮの緩め方向への回転規制を解除させる役割を担っている。具体的には、ナットＮをボルトＢに螺合させた状態で、突起部２ｂを所定方向（ナットＮの緩め方向）に付勢すると、ナットＮの緩め方向への回転規制が解除される。すなわち、突起部２ｂを「ナットＮを緩め方向」に付勢すると、ナットＮを緩め方向に回転させることができ、ナットＮをボルトＢから取り外せる。なお、取り外したナットＮは、緩み・脱落防止機能付きナットとして再利用できる。
【０００８】
このように、図８に示すナットＮは、再利用可能な構造になっていると共に、コイルバネ２と一体になっており、部品点数が少なく扱い易いため、実際の工事現場などで広く用いられている。
【先行技術文献】
【特許文献】
【０００９】
【特許文献１】特許４２５９６８８号公報
【非特許文献１】「株式会社ＫＨＩ  ホームページ  製品紹介  ハイパーロードナット（登録商標）」、［online］、［平成２５年５月１３日検索］インターネット〈URL：http://www.k-hi.jp/introduction2.html〉
【考案の概要】
【考案が解決しようとする課題】
【００１０】
ところで、上述した図８に示すナットＮは、緩み・脱落防止機能を解除する突起部２ｂが、ナットＮの上端部から突出した構成になっているため、突起部２ｂに注意してナットＮの着脱作業を行う必要があり、施工が面倒であった。具体的には、作業者が手で、ナットＮをボルトに挿入してボルトの余長を出してから、モンキーレンチなどの工具を使ってナットＮの締め付けを行う必要があり（工具が突起部に干渉しないように注意して締め付け作業を行う必要があり）、作業が面倒であった。また、上記のナットＮをボルトから取り外す場合、例えば、作業者の手により突起部２ｂを所定方向（ナットＮの緩み方向）に付勢しながら、モンキーレンチ等の工具でナットを緩め方向に回転させる必要があり、その作業が面倒であった。
そのため、上記のナットＮの着脱を容易に行うことができる工具が求められているが、現在の所、そのような工具は知られていない。
【００１１】
本考案は、上記課題に鑑みてなされたものであって、その目的は、上端部に突起部が突出している緩み・脱落防止機能付きナットを、簡単にボルトに着脱することができる工具を提供することにある。
【課題を解決するための手段】
【００１２】
上記課題を解決するためになされた本考案は、上端部に突起部が突出している緩み・脱落防止機能付きナットの着脱に用いられるソケットレンチ用ソケットであって、両端が貫通している略円筒状の本体部と、前記本体部の上端に形成されたソケットレンチ係合孔と、前記本体部の下端に形成されたナット嵌合孔とを有し、前記本体部の周壁には、該本体部の下方に開口する切欠部が形成されていることを特徴とする。
また、前記ナットは、そのネジ穴にコイルバネが装着され、その上端部から前記コイルバネから延設された前記突起部が突出しており、ボルトに締結された場合に該ナットの緩め方向の回転が規制されると共に、前記突起部を該ナットの緩め方向に付勢すると、該ナットの緩め方向の回転規制が解除されるようになっており、前記切欠部は、略コの字状に形成されていると共に、その下端からの上端までの長さ寸法が、前記ナットの下端から前記突起部の上端までの長さ寸法よりも大きくなっていることが望ましい。
【００１３】
上記の構成によれば、ソケットレンチ用ソケット（単に「ソケット」ということもある）の下端側の切欠部を、ナットの上端の突起部に位置合わせした上で、当該ソケットをナット側に押し込むことにより、ナットの上端の突起部にソケットを干渉させることなく、ナットとソケットとを嵌合させることができる。また、本考案によれば、ナットに嵌合したソケットを装着したソケットレンチにより、ナットを回転させてボルトにナットを締結させることができる。すなわち、本考案によれば、作業者が手で、ナットをボルトに挿入してボルトの余長を出す工程が不要になると共に、ソケットをナットに嵌合したら、その後は、工具と突起部との干渉を気にすることなく、ソケットレンチによりナットを回転させてボルトにナットを締結させることができる。
【００１４】
また、前記切欠部は、前記本体部の下端から上端方向に鉛直に延びる第１縦辺部と、該第１縦辺部と相対向する第２縦辺部と、該第１縦辺部の上端と該第２縦辺部の上端を結ぶ横辺部とにより略コの字状に形成され、前記第２縦辺部の下端側には、前記本体部の下端から上端に向かうにしたがい前記第１縦辺部との間隔が小さくなっている斜辺部が形成されていることが望ましい。
また、前記ナットの突起部に前記第２縦辺部の下端を当接させた状態で、前記ナットに向けて押し込まれると、前記第２斜辺部が前記ナットの緩め方向に前記突起部を付勢するようになっていることが望ましい。
【００１５】
このように本考案によれば、ソケットに形成された切欠部の第２縦辺部の下端を、ボルトに締結されたナットの突起部に当接させ、当該ソケットをナット側に押し込むと、第２縦辺部の斜辺部により突起部がナットの緩め方向に付勢されながら、ソケットとナットとが嵌合していく。すなわち、ナットは、突起部がナットの緩め方向に付勢された状態でソケットと嵌合されるため、ナットは、コイルバネによる回転規制が解除された状態になり、その後は、ソケットを装着したソケットレンチにより、ナットを緩め方向に簡単に回転させることができる。
すなわち、本考案のソケットレンチ用ソケットを用いることにより、指等で突起部を押さえながら（ナットの緩め方向に付勢しながら）、工具でナットを緩める必要がなく、ボルトに締着したナットの取り外し作業が軽減される（突起部を押さずに、ソケットの切欠部に合せることで、ナットの取り外しが可能になる）。
【００１６】
また、本考案のソケットレンチは、前記ソケットレンチ用ソケットを備えていることを特徴とする。
【考案の効果】
【００１７】
本考案によれば、上端部に突起部が突出している緩み・脱落防止機能付きナットを、簡単にボルトに着脱することができる工具を提供することができる。
【図面の簡単な説明】
【００１８】
【図１】本実施形態のソケットレンチ用ソケットの正面を示した模式図である。
【図２】本実施形態のソケットレンチ用ソケットの側面を示した模式図である。
【図３】本実施形態のソケットレンチ用ソケットの上面を示した模式図である。
【図４】本実施形態のソケットレンチ用ソケットの底面を示した模式図である。
【図５】本実施形態のソケットレンチ用ソケットを備えたソケットレンチにより、緩み・脱落防止機能付きナットをボルトに締結する手順を説明するための模式図である。
【図６】本実施形態のソケットレンチ用ソケットを備えたソケットレンチにより、緩み・脱落防止機能付きナットをボルトから取り外す手順を説明するための模式図である。
【図７】本実施形態のソケットレンチ用ソケットを備えたソケットレンチにより、緩み・脱落防止機能付きナットをボルトから取り外す手順を説明するための模式図である。
【図８】、従来技術による緩み防止機能付きナットの構成を説明するための模式図である。
【考案を実施するための形態】
【００１９】
以下、本考案の実施形態について図面に基づいて説明する。
本実施形態のソケットレンチ用ソケットＳは、ソケットレンチＺに装着され、図８に示した「緩み・脱落防止機能付きナットＮ」の着脱に用いられるものである。なお、本実施形態では、上述した従来技術と同じ構成については同じ符号を付して説明する。
【００２０】
先ず、本実施形態のソケットレンチ用ソケットＳ（以下、単に「ソケットＳ」という）の構成について、図１〜図４と上述した図８とを用いて説明する。
本実施形態のソケットＳは、両端が貫通している略円筒状の本体部１０を備えている（図１、２参照）。また、本体部１０の上端１０ａには、ソケットレンチＺ（図５参照）と係合する係合孔１１（平面視正方形の係合孔１１）が設けられている（図３参照）。また、本体部１０の下端１０ｂには、ボルト頭部やナットＮと嵌合する嵌合孔１２が設けられている（図４参照）。また、本体部１０の周壁１０ｃには、本体部１０の下方に開口する略コの字状の切欠部２０が形成されている。なお、ソケットＳは、例えば、鋼材により形成されている。
【００２１】
また、上記の切欠部２０は、その下端からの上端までの長さ寸法ｈ１が、ナットＮの下端から突起部２ｂの上端までの長さ寸法ｈ３（図８参照）よりも大きくなっている（ｈ１＞ｈ３：例えば、ｈ１＝２０ｍｍ、ｈ３＝１５ｍｍとなっている）。
この切欠部２０を、ナットＮの突起部２ｂに位置合わせした上で、ソケットＳをナットＮ側に押し込むことで、ナットＮの突起部２ｂにソケットＳを干渉させることなく、ナットＮとソケットＳとを嵌合させることができる。
【００２２】
また、切欠部２０は、本体部１０の下端から上端方向（図１に示すＹ方向）に鉛直に延びる第１縦辺部２１と、第１縦辺部２１と相対向する第２縦辺部２２と、第１縦辺部２１の上端と第２縦辺部２２の上端を結ぶ横辺部２３（図１に示すＸ方向に延びる横辺部２３）とにより略コの字状に形成されている。具体的には、切欠部２０は、正面視で向かって右側に第１縦辺部２１が形成され、正面視で向かって左側に第２縦辺部２２が形成されている。
【００２３】
さらに、第２縦辺部２２の下端側には、本体部１０下端から上端に向かうにしたがい第１縦辺部２１との間隔が小さくなっていく斜辺部２２ａが形成されている（図１に示すように、第１縦辺部２１と第２縦辺部２２との間隔が「Ｗ１＞Ｗ２＞Ｗ３」となるように、斜辺部２２ａが形成されている）。なお、第２縦辺部２２は、本体部１０の下端から上端方向に向けて斜め上方に延びる斜辺部２２ａと、斜辺部２２ａの上端から横辺部２３まで鉛直方向に延びるストレート部２２ｂとを備えている。
なお、第２縦辺部２２は、斜辺部２２ａとストレート部２２ｂとの境界部がＲ形状になっている。また、斜辺部２２ａの下端からの高さ寸法ｈ２は、例えば、切欠部２０の高さ寸法ｈ１の半分程度になっている（例えば、ｈ１＝２０ｍｍのときには、ｈ２＝１０ｍｍになっている）。
【００２４】
このように、切欠部２０に斜辺部２２ａを設けたことにより、ボルトＢに締結されたナットＮにソケットＳを嵌合させる際に、ナットＮの緩め方向への回転規制を解除することができる。具体的には、切欠部２０の斜辺部２２ａを、ナットＮの突起部２ｂに当接させ、ソケットＳをナットＮ側に押し込むと、突起部２ｂが斜辺部２２ａに付勢されながら、ソケットＳとナットＮとが嵌合していく。これにより、ナットＮに装着されたコイルバネ２によるナットＮの緩め方向への回転規制を解除される。
【００２５】
次に、本実施形態のソケットＳを用いたナットＮの着脱作業の手順について、ナットＮの取り付け手順と、ナットＮの取り外し手順との分けて説明する。
【００２６】
先ず、ソケットＳを備えたソケットレンチＺを用いて、ボルトＢにナットＮを取り付ける手順について図５を参照しながら説明する。
【００２７】
具体的には、図５（ａ）に示すように、ソケットＳの切欠部２０を、ナットＮの突起部２ｂに位置合わせした上で、ソケットレンチＺに装着したソケットＳをナットＮ側に押し込み（図中に示す下方に向けて押し込み）、ソケットＳの嵌合孔１２にナットＮを嵌合させる。
次に、図５（ｂ）に示すように、ソケットレンチＺによりナットＮを締める方向（時計回り）に回転させ、ナットＮをボルトＢに締結させる。その後、図５（ｃ）に示すように、ソケットレンチＺをナットＮから離間させる方向に押し上げて（図５の上方に押し上げて）、ソケットＳをナットＮから取り外す。なお、ナットＮの突起部２ｂは、ボルトＢに締め付けられることにより、図中に示す横方向に移動するようになっている。
【００２８】
このように、本実施形態のソケットＳを用いることにより、ナットＮの上端の突起部２ｂにソケットＳを干渉させることなく、ナットＮとソケットＳとを嵌合させることができる。また、ナットＮにソケットＳを嵌合させた後は、ソケットＳと突起部２ｂとの干渉を気にすることなく、ソケットＳを回転させることできる。このように、本実施形態のソケットＳを用いることにより、上端部に突起部２ｂが突出している構造のナットＮの取り付けを簡単に行うことができる。すなわち、ナットＮがボルトＢに装着されるまで手で突起部２ｂを押さえる必要がなく、ソケットＳの切欠部２０にコイルバネ２の突起部２ｂを合せることにより、ナットＮにボルトＢを装着できる。その結果、例えば、モンキーレンチにより、ナットＮをボルトＢに締結させる場合と比べ、取り付け作業が容易になる。
【００２９】
次に、本実施形態のソケットＳを備えたソケットレンチＺを用いて、ボルトＢに締結されたナットＮを取り外す手順について図６及び図７を参照しながら説明する。
【００３０】
具体的には、図６（ａ）に示すように、先ず、ボルトＢに締結されたナットＮの上端から突出する突起部２ｂに、ソケットＳに形成した切欠部２０の第２縦辺部２２の下端を当接させる（突起部２ｂに斜辺部２２ａの下端を当接させる）。
【００３１】
また、ナットＮの突起部２ｂに斜辺部２２ａの下端部を当接させると、次に、図６（ｂ）に示すように、ソケットＳをナットＮ側に押し込み（図６に示す下方向にソケットＳを押し込む）。これにより、図６（ｃ）に示すように、ソケットＳの嵌合孔１２にナットＮが嵌合する。
このときに、ナットＮの突起部２ｂは、第２縦辺部２２ａに沿って、第２縦辺部２２の下端から上段に向けて移動する（突起部２ｂは、ソケットＳに対して移動する）。そして、突起部２ｂが第２縦辺部２２の斜辺部２２ａに沿って移動している最中に、突起部２ｂが「ナットの緩め方向」に付勢されるため、ナットＮは、コイルバネ２による「ナットＮの緩め方向」への回転規制が解除された状態になる。なお、第２縦辺部２２は、斜辺部２２ａとストレート部２２ｂとの境界部がＲ形状になっている。そのため、突起部２ｂは、斜辺部２２ａとストレート部２２との境界部をスムーズに移動する。
【００３２】
そして、「ナットＮの緩め方向」への回転規制が解除された状態になると、図７（ａ）、（ｂ）に示すように、ソケットレンチＺによりナットＮを緩め方向（反時計回り）に回転させ、ナットＮをボルトＢから緩めて取り外す。
このように、本実施形態のソケットＳを用いることにより、指等で突起部２ｂを押さえながら（ナットＮの緩め方向に付勢しながら）、工具でナットを緩める必要がなくなり、ボルトに締着したナットの取り外し作業が容易になる。
【００３３】
以上、説明したように本実施形態によれば、上端部に突起部が突出している緩み・脱落防止機能付きナットを、簡単にボルトに着脱することができる工具（ソケットＳ、ソケットＳを装着したソケットレンチＺ）を提供することができる。
【００３４】
尚、本実施形態は、上述した実施形態に限定されるものではなく、その要旨の範囲内において種々の変更が可能である。
【００３５】
例えば、上述した実施形態では、切欠部２０が、下方に開口する略コの字状に形成されているが、特にこれに限定されるものではない。例えば、切欠部２０が、下方に開口する略Ｕ字状に形成されていてもよい。なお、この場合も、切欠部２０を正面視で向かって右側に第１縦辺部２１が形成され、正面視で向かって左側に第２縦辺部２２が形成され、第２縦片部２２には斜辺部２２ａが設けられている。
また、ソケットＳの各構成の大きさ寸法は、対象となるナットＮの大きさに対応するように適宜設計されるものである。
【符号の説明】
【００３６】
Ｎ…ナット
２…コイルバネ
２ａ…コイル部（コイルバネ）
２ｂ…突起部（コイルバネ）
Ｚ…ソケットレンチ
Ｓ…ソケットレンチ用ソケット
１０…本体部
１０ａ…上端（本体部）
１０ｂ…下端（本体部）
１０ｃ…周壁（本体部）
２０…切欠部
２１…第１縦辺部
２２…第２縦辺部
２２ａ…斜辺部（第２縦辺部）
２２ｂ…ストレート部（第２縦辺部）
２３…横辺部
【図１】
0003185286.tif 000003
【図２】
0003185286.tif 000004
【図３】
0003185286.tif 000005
【図４】
0003185286.tif 000006
【図５】
0003185286.tif 000007
【図６】
0003185286.tif 000008
【図７】
0003185286.tif 000009
【図８】
0003185286.tif 000010